(57)【要約】【課題】脱落防止具の取り外しを容易とする。【解決手段】ナットが取り付けられたボルトに設置される前記ナットの脱落防止具であって、前記ボルトが挿入されるボルト保持部２ｂと、前記ボルト保持部２ｂと一体として設けられると共に、前記ナットの外周に設けられると共に復元力により前記ナットの回転を阻止するナット保持部３とを有する。【選択図】図４
2020128761.tif 000002
【特許請求の範囲】
【請求項１】
ナットが取り付けられたボルトに設置される前記ナットの脱落防止具であって、
前記ボルトが挿入されるボルト保持部と、
前記ボルト保持部と一体として設けられると共に、前記ナットの外周に設けられると共に復元力により前記ナットの回転を阻止するナット保持部と
を有することを特徴とする脱落防止具。
【請求項２】
前記ボルト保持部に接続されると共に前記ボルト保持部の径を変更可能とする持ち手部を有することを特徴とする請求項１記載の脱落防止具。
【請求項３】
前記持ち手部は、前記ナット保持部よりも、前記ボルトの径方向において外側に突出していることを特徴とする請求項２記載の脱落防止具。
【請求項４】
前記ボルト保持部及び前記ナット保持部は、１本の金属線により形成されることを特徴とする請求項１〜３のいずれか一項に記載の脱落防止具。
【請求項５】
前記ナット保持部は、前記ナットの外周面に接触すると共に、多角形形状とされることを特徴とする請求項１〜４のいずれか一項に記載の脱落防止具。
【発明の詳細な説明】
【技術分野】
【０００１】
本発明は、脱落防止具に関するものである。
【背景技術】
【０００２】
ボルトに取り付けられた、ナットの脱落を防止するため、脱落防止具をボルトに取り付けることがある。例えば、特許文献１には、環状の第１コイルバネ部と、上記第１コイルバネ部に配置されると共にボルトに巻き付けられる第２コイルバネ部と、上記第１コイルバネ部と上記第２コイルバネ部とを接続する接続部とを備える脱落防止具が開示されている。上記脱落防止具は、ナットと同様の要領でボルトに取り付けることが可能である。これにより、上記脱落防止具は、ボルトに対して巻き付くことで、ナットのボルト軸方向における移動を阻止している。
【先行技術文献】
【特許文献】
【０００３】
【特許文献１】特許第５２００１９０号公報
【発明の概要】
【発明が解決しようとする課題】
【０００４】
しかしながら、上記のような脱落防止具においては、ボルトに巻き付けることでナットの緩みを阻止しているため、ボルトに対して強い力で固定する必要がある。したがって、例えば、メンテナンスや解体時等において、ナットをボルトから取り外す際に、脱落防止具がナットに食い込む等により脱落防止具をボルトから取り外すことが難しい。したがって、従来の脱落防止具を取り外す際には、工具等により脱落防止具を破壊して取り外している。
【０００５】
本発明は、上述する問題点に鑑みてなされたもので、脱落防止具の取り外しを容易とすることを目的とする。
【課題を解決するための手段】
【０００６】
本発明は、上記課題を解決するための手段として、以下の構成を採用する。
【０００７】
第１の手段として、ナットが取り付けられたボルトに設置される前記ナットの脱落防止具であって、前記ボルトが挿入されるボルト保持部と、前記ボルト保持部と一体として設けられると共に、前記ナットの外周に設けられると共に復元力により前記ナットの回転を阻止するナット保持部とを有する、という構成を採用する。
【０００８】
第２の手段として、上記第１の手段において、前記ボルト保持部に接続されると共に前記ボルト保持部の径を変更可能とする持ち手部を有する、という構成を採用する。
【０００９】
第３の手段として、上記第２の手段において、前記持ち手部は、前記ナット保持部よりも、前記ボルトの径方向において外側に突出している、という構成を採用する。
【００１０】
第４の手段として、上記第１〜３のいずれかの手段において、前記ボルト保持部及び前記ナット保持部は、１本の金属線により形成される、という構成を採用する。
【００１１】
第５の手段として、上記第１〜４のいずれかの手段において、前記ナット保持部は、前記ナットの外周面に接触すると共に、多角形形状とされる、という構成を採用する。
【発明の効果】
【００１２】
本発明によれば、ナット保持部３がナットを保持することにより、復元力を用いてナットの回転を阻止している。これにより、ボルトに対して大きな力を加えることなくナットの脱落を防止することが可能である。したがって、本発明に係る脱落防止具は、破壊することなくボルトから取り外すことができ、ボルトからの取り外しが容易である。
【図面の簡単な説明】
【００１３】
【図１】本発明の一実施形態に係る脱落防止具の非ボルト取付時における正面図である。
【図２】本発明の一実施形態に係る脱落防止具のボルト取付時における正面図である。
【図３】本発明の一実施形態に係る脱落防止具の斜視図である。
【図４】本発明の一実施形態に係る脱落防止具のボルト取付時における側面図である。
【発明を実施するための形態】
【００１４】
以下、図面を参照して、本発明に係る脱落防止具の一実施形態について説明する。
【００１５】
本実施形態に係る脱落防止具１は、１本の金属線を屈曲することにより形成されており、図１〜３に示すように、可動部２と、ナット保持部３とを有している。
【００１６】
可動部２は、持ち手部２ａと、ボルト保持部２ｂと、巻回部２ｃとを有している。持ち手部２ａは、Ｖ字状に屈曲された２つの凸部が、互いに交差するように配置された部位である。また、持ち手部２ａの２つの凸部は、ボルト保持部２ｂ及び巻回部２ｃを介して連続している。これにより、持ち手部２ａは、連続して設けられるボルト保持部２ｂにおける後述する湾曲部同士の幅を変更することで、ボルト保持部２ｂの内径を変更可能としている。なお、持ち手部２ａは、ボルト軸方向から見た際に、ナット保持部３よりも径方向において外側に突出している。
【００１７】
ボルト保持部２ｂは、持ち手部２ａの端部と連続して形成され、半円状に湾曲した２つの湾曲部を有している。上記湾曲部は、２つの凸部のそれぞれに連なって形成されており、凸部の交差角度が変更されることにより互いに重なり合うことで、円環状となる。そして、ボルト保持部２ｂは、中心の空洞にボルトが挿入され、ネジ溝に歯合した状態でボルトを保持する。すなわち、ボルト保持部２ｂは、２つの湾曲部がボルトを挟み込んで保持している。
【００１８】
巻回部２ｃは、金属線が複数回同軸上で巻回されることにより形成されたコイルバネ状の部位である。このような巻回部２ｃは、持ち手部２ａと反対側においてボルト保持部２ｂと隣接して形成されており、両端が２つの湾曲部と連続している。そして、巻回部２ｃは、持ち手部２ａの端部に力が加えられた際に、縮径方向に弾性変形することで、持ち手部２ａの位置を変更可能とする。
【００１９】
ナット保持部３は、持ち手部２ａの一端と連続して形成され、正六角形状（多角形形状）に屈曲されると共に、図３に示すように複数回巻回された部位とされる。このようなナット保持部３は、持ち手部２ａに力が加えられることにより円環状となったボルト保持部２ｂと同軸上に配される。ナット保持部３は、図２に示すように、脱落防止具１がボルトに取り付けられた際に、ナットの外周に配置される。このとき、ナット保持部３は、外形形状が六角形のナットの外周の各面と接触した状態で固定される。
【００２０】
脱落防止具１は、図１の状態において持ち手部２ａに作業者が両側から力を加えることで、ボルト保持部２ｂの湾曲部が重なり合い、円環状となる。この状態で、作業者は、図１及び図４に示すように、ボルト保持部２ｂにナット保持部３が形成されている側からボルトを挿入する。さらに、持ち手部２ａを解放することで、持ち手部２ａには元に戻る方向に力が生じるため、ボルトには、ボルト保持部２ｂの湾曲部が両側から挟み込む方向へと力がかかった状態となる。
【００２１】
このような脱落防止具１がボルトに取り付けられると、図２に示すように、ボルト軸方向から見て、ボルト保持部２ｂとナット保持部３とが同軸上に配された状態となる。このとき、ナット保持部３は、ナットが締まる方向（回転方向）へとナットを付勢した状態で固定している。
【００２２】
この状態で、振動等によりナットが緩む方向（締まる方向と反対の回転方向）に荷重がかかると、ナット保持部３には、拡径方向（緩み方向）へと撓みが発生することとなる。このとき、ナット保持部３には撓み復元力が発生し、元の位置、すなわち、脱落防止具１が取り付けられた際の位置へと戻る。これにより、ナットは、ナット保持部３により回転が阻止された状態となる。したがって、本実施形態に係る脱落防止具１は、ナット保持部３がナットの回転を阻止することで、ナットの脱落を防止することが可能である。
【００２３】
このような本実施形態に係る脱落防止具１によれば、ナットの回転を付勢力により阻止することで、ボルトに対して脱落防止具１を強固に取り付ける必要がなく、さらにボルトに対して大きな力が加わることがない。したがって、例えば、メンテナンス時や解体時等に、ナットをボルトから取り外す際にも、脱落防止具１を容易に取り外すことが可能である。脱落防止具１は、取り外す際に破壊されることがないため、再利用することも可能である。
【００２４】
また、本実施形態に係る脱落防止具１によれば、持ち手部２ａを用いてボルト保持部２ｂの内径の大きさを変更することが可能である。これにより、脱落防止具１をボルトに取り付ける際に、ボルト外径より大きく撓ませ、ボルト軸方向からネジ山に沿わせる昼用がなく、直接ナットが設けられている位置に脱落防止具１を取り付けることが可能である。したがって、脱落防止具１の取り付けが容易である。
【００２５】
また、本実施形態に係る脱落防止具１によれば、ナット保持部３は、ナットの外形形状と同一の六角形形状とされている。これにより、ナット保持部３は、ナットに取り付けられた際に、ナットから外れることがなく、確実にナットを保持することが可能である。したがって、脱落防止具１は、確実にナットの脱落を防止することが可能である。
【００２６】
また、本実施形態に係る脱落防止具１によれば、１本の金属線を加工することにより、可動部２とナット保持部３とを形成している。したがって、形成が容易であると共に、各部位への力の伝達が容易である。
【００２７】
また、本実施形態によれば、持ち手部２ａは、ナット保持部３よりも径方向外側へと突出している。これにより、作業者は、容易に持ち手部２ａを把持することが可能であり、脱落防止具１の取り付けが容易である。
【００２８】
以上、図面を参照しながら本発明の好適な実施形態について説明したが、本発明は上記実施形態に限定されるものではない。上述した実施形態において示した各構成部材の諸形状や組み合わせ等は一例であって、本発明の趣旨から逸脱しない範囲において設計要求等に基づき種々変更可能である。
【００２９】
上記実施形態においては、ナット保持部３の形状を六角形としたが、本発明はこれに限定されない。ナット保持部３は、ナットの形状に合わせ、様々な形状（多角形形状）とすることが可能である。また、例えば、ナット保持部３は、六角形形状のナットの場合でも、四角形形状であれば、同様にナットを保持することが可能である。
【００３０】
また、上記実施形態においては、脱落防止具１は、持ち手部２ａが形成されるものとしたが、本発明はこれに限定されない。例えば、持ち手部２ａを有さず、ボルトのネジ溝に沿って回転させることにより、ナットに取り付けるものとしてもよい。
【００３１】
また、上記実施形態においては、脱落防止具１は、持ち手部２ａがナット保持部３よりも径方向外側に突出しているものとしたが、本発明はこれに限定されない。持ち手部２ａは、ナット保持部３よりも径方向内側に形成されるものとしてもよい。この場合、脱落防止具１がナットから径方向外側に大きく飛び出すことがなく、ナット及びボルトの周囲構造物を阻害することがない。
【符号の説明】
【００３２】
１  脱落防止具
２  可動部
２ａ  持ち手部
２ｂ  ボルト保持部
２ｃ  巻回部
３  ナット保持部
【図１】
2020128761.tif 000003
【図２】
2020128761.tif 000004
【図３】
2020128761.tif 000005
【図４】
2020128761.tif 000006